(57)【要約】      （修正有）【課題】使いやすくして利便性を高める、ペット用開口部開閉構造の提供。【解決手段】ペットが出入りする開口部２１を開閉する開閉構造において、開口部２１の上下に備えられ左右方向に延びるガイドバー３１と、開口部２１の左右方向の一方を外側から覆う外側ドア３２と、開口部２１の左右方向の他方を内側から覆う内側ドア３３を備える。外側ドア３２には、ガイドバー３１をガイドバー３１に沿って移動可能に外側から抱え込むスライドフック３４を、内側ドア３３には、ガイドバー３１を内側から抱え込むスライドフック３４を備える。これらのスライドフック３４は、外側ドア３２及び内側ドア３３の左右方向の端部に備えるとともに、外側ドア３２と内側ドア３３のスライドフックのうち左右方向の内方に位置するスライドフック３４を、対向する相手方のドアにおける左右に並ぶスライドフック３４同士の間に位置させて、左右両スライド開閉式にする。【選択図】図１
2019129738.tif 000002
【特許請求の範囲】
【請求項１】
ペットが出入りする開口部を開閉するペット用開口部開閉構造であって、
前記開口部に、共に左右方向にスライド可能な左右一組のドアを備えた
ペット用開口部の左右両開き開閉構造。
【請求項２】
ペットが出入りする開口部を開閉するペット用開口部開閉構造であって、
前記開口部の上下に備えられ左右方向に延びるガイドバーと、
前記開口部の左右方向の一方を外側から覆う外側ドアと、
前記開口部の左右方向の他方を内側から覆う内側ドアと、
前記外側ドアの上下に備えられて前記ガイドバーを前記ガイドバーに沿って移動可能に外側から抱え込むスライドフックと、
前記内側ドアの上下に備えられて前記ガイドバーを前記ガイドバーに沿って移動可能に内側から抱え込むスライドフックを備え、
前記スライドフックが、前記外側ドア及び前記内側ドアの左右方向の端部に備えられるとともに、
前記外側ドアと前記内側ドアの前記スライドフックのうち左右方向の内方に位置する前記スライドフックを、対向する相手方のドアにおける左右に並ぶ前記スライドフック同士の間に位置させた
ペット用開口部開閉構造。
【請求項３】
前記スライドフックが、前記外側ドア及び前記内側ドアを構成して上下方向に延びる縦杆と、
前記縦杆に被着されて前記縦杆との間に前記ガイドバーを入れる懐部を隔てて前記縦杆と並ぶ抜け止め片を有する被着部材で構成された
請求項２に記載のペット用開口部開閉構造。
【請求項４】
前記縦杆に、左右方向と直交する奥行方向に延びる横杆が形成され、
前記被着部材が前記縦杆と前記横杆に固定された
請求項３に記載のペット用開口部開閉構造。
【請求項５】
正面フェンス、側面フェンス及び背面フェンスを有し、前記正面フェンスにペットが出入りする開口部を備えたペット用ケージであって、
前記正面フェンスの前記開口部に、請求項１に記載のペット用開口部の左右両開き開閉構造、又は請求項２から請求項４のうちいずれか一項に記載のペット用開口部開閉構造が形成された
ペット用ケージ。
【請求項６】
前記背面フェンスに背面の全体を塞ぐ背面パネルを備えた
請求項５に記載のペット用ケージ。
【請求項７】
前記正面フェンス、前記側面フェンス及び前記背面フェンスで囲まれる内部空間の底に置かれる底トレーを備え、
前記正面フェンスの下端部に、前記底トレーを引き出し入れ可能にする下端開口が形成され、
前記正面フェンスと前記側面フェンスの下端部同士を連結する連結部材に、左右方向の内方に張り出して前記内部空間の底に置かれた前記底トレーにおける前記正面フェンス側の部位と干渉する張り出し部が形成された
請求項５または請求項６に記載のペット用ケージ。
【発明の詳細な説明】
【技術分野】
【０００１】
この発明は、例えばペット用ケージやサークル、ゲートなどにおけるペット出入り用の開口部に形成されるペット用開口部開閉構造に関する。
【背景技術】
【０００２】
ペット用ケージなどにおける開口部の開閉構造は、開き戸式、つまり扉の左右方向の一端を回転軸として開閉する方式が従来一般的であった。このほかに、特許文献１に開示されているような引き戸式、つまり開口部の面方向のうち左右方向にスライドする形式の開閉構造も提案されている。
【０００３】
後者の引き戸式の場合には、前者の開き戸式の場合と比べて、開口部の手前側に扉の回動を許容する空間がなくても開口部を開閉できる利点があり、利便性が良い。
【０００４】
しかし、これまでの引き戸式の開閉構造では、開口部が左右方向の一方のみに形成されており、開口部の左右方向の隣部分は、開口部を開いた時に扉が重なる閉鎖部であった。つまり片開き式であり、予め開口部に設定された左右方向の一方しか開かない構造であった。
【０００５】
このため、前述のように開口部の開閉に際して手前側のスペースを必要としないため使いやすい側面があるものの、例えば落ち着きのないペットの場合など、ペットの出し入れに際して不便を感じることがあった。
【先行技術文献】
【特許文献】
【０００６】
【特許文献１】特許第６２０９０９０号公報
【発明の概要】
【発明が解決しようとする課題】
【０００７】
この発明は利便性を高めることを主な目的とする。
【課題を解決するための手段】
【０００８】
そのための手段は、ペットが出入りする開口部を開閉するペット用開口部開閉構造において、前記開口部に、共に左右方向にスライド可能な左右一組のドアを備えることである。
【０００９】
この構成では、左右一組のドアがそれぞれ左右にスライドして開口部を開閉して、開口部の左右方向の一方のみを開く態様はもちろん、他方のみを開く態様も、両方を開く態様もとれる左右両開きスライド開閉を可能にする。
【００１０】
その一態様として、前記開口部の上下に備えられ左右方向に延びるガイドバーと、前記開口部の左右方向の一方を外側から覆う外側ドアと、前記開口部の左右方向の他方を内側から覆う内側ドアと、前記外側ドアの上下に備えられて前記ガイドバーを前記ガイドバーに沿って移動可能に外側から抱え込むスライドフックと、前記内側ドアの上下に備えられて前記ガイドバーを前記ガイドバーに沿って移動可能に内側から抱え込むスライドフックを備え、前記スライドフックが、前記外側ドア及び前記内側ドアの左右方向の端部に備えられるとともに、前記外側ドアと前記内側ドアの前記スライドフックのうち左右方向の内方に位置する前記スライドフックを、対向する相手方のドアにおける左右に並ぶ前記スライドフック同士の間に位置させた構成を採用するとよい。
【００１１】
この構成では、ガイドバーとスライドフックが、外側ドアと内側ドアをそれぞれ、左右方向に延びるガイドバーに沿って移動可能に支持する。外側ドアと内側ドアの移動範囲は、スライドフックを絡めた外側ドアと内側ドアの配置によって規定され、開口部の左右方向の一方のみを開く態様と、他方のみを開く態様と、両方を開く態様をとり得る。
【発明の効果】
【００１２】
この発明によれば、開口部の左右方向にそれぞれ移動する左右一組のドア（例えば外側ドアと内側ドア）で開口部の開閉がなされ、左右のいずれか一方のみを開放することも、両方を開放することもできるので、状況に応じた使用が可能であり、利便性が高まる。
【図面の簡単な説明】
【００１３】
【図１】ペット用ケージの開口部を開いた状態の正面図。
【図２】ペット用ケージの正面図。
【図３】ペット用ケージの右側面図。
【図４】ペット用ケージの背面図。
【図５】ペット用ケージの平面図。
【図６】天井を取り除いた状態のペット用ケージの平面図。
【図７】正面フェンスの正面図。
【図８】図７のＡ−Ａ断面図。
【図９】スライドフックの斜視図。
【図１０】外側ドアと内側ドアを分離した状態の正面フェンスの側面図。
【図１１】被着部材の分解斜視図。
【図１２】外側ドアと内側ドアを分離した状態の正面フェンスの要部平面図。
【図１３】ロック具の斜視図。
【図１４】ロック具の構造を示す断面図。
【図１５】内側ドアのロック具の作用を示す断面図。
【図１６】底トレーの一部と連結部材の正面図。
【図１７】連結部材の斜視図。
【図１８】背面フェンスの分解状態を示す背面図。
【発明を実施するための形態】
【００１４】
この発明を実施するための一形態を、以下図面を用いて説明する。
【００１５】
この発明のペット用開口部開閉構造は、例えば檻やキャリーなどとして使用されるペット用ケージ、囲いとして使用されるペット用サークル、仕切りや行動規制装置として使用されるペット用ゲートなどのようにペットが出入りする開口部を備えた装置における開口部を開閉するものであって、前述例のように様々な装置に採用され得る。
【００１６】
ここでは、ペット用ケージに採用した例を説明する。
【００１７】
図１に、ペット用ケージ１１のペット用開口部開閉構造の作用状態を示す。この図に示すように、ペット用開口部開閉構造は、共に左右方向にスライド可能な左右一組のドアを備えた左右両スライド式である。
【００１８】
まず、ペット用ケージの概略構造について説明してから、ペット用開口部開閉構造とペット用ケージのその他の構造についてする。
【００１９】
図２はペット用ケージ１１の正面を示す正面図、図３は右側面を示す側面図、図４は背面を示す背面図、図５は平面を示す平面図、図６は天井を取り除いた状態を示す平面図である。これらの図に示すように、ペット用ケージ１１は、正面フェンス１２、側面フェンス１３、背面フェンス１４、天井フェンス１５、及びこれらで囲まれる内部空間の底に置かれる底トレー１６を主に備えている。
【００２０】
正面フェンス１２、側面フェンス１３、背面フェンス１４及び天井フェンス１５は、金属製の線材を縦横に組んで複数の隙間を有する方形板状に形成されている。線材の間隔（隙間の大きさ）は、一部の例外（正面フェンス１２、背面フェンス１４）を除いて、基本的にペットの出入りを不可能なにする大きさに設定されている。これらのフェンスは、フェンスに対して着脱可能な部材によって相互に接合されて箱状に組み立てられる。分離も可能である。
【００２１】
正面フェンス１２は、ペットが出入りする前述の開口部２１を有している。開口部２１は、ペットが出入りできる大きさであり、図１、図２に示したように、正面フェンス１２の左右方向の略全体に対応する大きさの方形状に形成されている。また正面フェンス１２の下端部、つまり開口部２１よりも下には、正面フェンス１２を他のフェエンスとともに組み立てて床等の設置面１７に置いた状態で、設置面１７に置かれる前述の底トレー１６を引き出し入れ可能にする下端開口２２が形成されている。設置状態において底トレー１６の出し入れができるのは、この下端開口２２のみである。
【００２２】
下端開口２２の幅は、内部空間の略全面を覆う大きさに形成された底トレー１６の幅に嵌合対応する幅に設定されている。下端開口２２の上端高さは、設置状態において底トレー１６の上方に隙間を有する高さであってよいが、この場合の隙間はペットの出入りを不可能にする高さに設定される。
【００２３】
正面フェンス１２は前述のように開口部２１と下端開口２２を有する方形板状であるので、図７に示したように正面フェンス１２は、上端位置の上縁部２３と、左右両側の左縁部２４及び右縁部２５と、下端位置より上であって開口部２１と下端開口２２の間に位置する境界部２６を有することになる。また上縁部２３と境界部２６における左右方向の中間位置にはセンター縦杆２７が備えられている。センター縦杆２７は主として上縁部２３と境界部２６の間隔を保持する機能を果たすものである。
【００２４】
このような開口部２１に備えられる開閉構造は、前述したように共に左右方向にスライド可能な左右一組のドアを備えた左右両開き開閉構造である。この開閉構造は、好ましくは、開口部２１の上下に備えられ左右方向に延びるガイドバー３１と、開口部２１の左右方向の一方を外側から覆う外側ドア３２と、開口部２１の左右方向の他方を内側から覆う内側ドア３３と、外側ドア３２の上下に備えられてガイドバー３１をガイドバー３１に沿って移動可能に外側から抱え込むスライドフック３４と、内側ドア３３の上下に備えられてガイドバー３１をガイドバー３１に沿って移動可能に内側から抱え込むスライドフック３４を備える。
【００２５】
具体的にはガイドバー３１は、前述の上縁部２３と境界部２６の全体又は一部に形成される。図示例では、上縁部２３が相互間にスライドフック３４を通す間隔をあけて平行に並ぶ複数本の線材で構成され、これらの線材のうちの最も下の線材が上のガイドバー３１である。同様に境界部２６も平行に並ぶ複数本の線材で構成されているが、境界部２６の場合には線材の間隔が狭く設定されており、境界部２６を構成するすべての線材を下のガイドバー３１としている。上下のガイドバー３１は一直線に延びている。
【００２６】
外側ドア３２と内側ドア３３は、上縁部２３と左縁部２４と右縁部２５と境界部２６で囲まれる開口部２１を、図８に示したように開口部２１の面方向に対して直交する奥行方向の、それぞれ外側と内側から挟むごとく取り付けられる。このために、外側ドア３２には前述のようにガイドバー３１を外側から抱え込むスライドフック３４が備えられ、内側ドア３３にはガイドバー３１を内側から抱え込むスライドフック３４が備えられる。
【００２７】
図示例では、外側ドア３２を右側に、内側ドア３３を左側に備えた例を示す。外側ドア３２と内側ドア３３の大きさ、ここでは正面視の大きさは同一であり、開口部２１におけるセンター縦杆２７で区切られる開口部２１の半分の幅よりも若干横長に形成されている。このため、外側ドア３２と内側ドア３３を閉じた状態において、外側ドア３２と内側ドア３３におけるセンター縦杆２７に対応する部分に外側と内側でオーバーラップする部分を有することになる。
【００２８】
外側ドア３２と内側ドア３３をガイドバー３１に取り付けるためのスライドフック３４は、図９、図１０に示したようにＵ字状である。図９では、上のガイドバー３１に保持されるスライドフック３４を示したが、下のガイドバー３１に保持されるスライドフック３４も同一の構造である。図９の（ａ）は、スライドフック３４を斜め下から見た斜視図、（ｂ）は斜め上から見た斜視図である。
【００２９】
図１０に示したようにスライドフック３４は、外側ドア３２及び内側ドア３３を構成して上下方向に延びる縦杆３５と、この縦杆３５に被着される被着部材３６で構成されている。
【００３０】
縦杆３５には、左右方向と直交する奥行方向に延びる横杆３５ａが折り曲げによって形成されており、前述の被着部材３６は縦杆３５と横杆３５ａに固定されている。縦杆３５に加えて横杆３５ａを形成するのは、より簡素な構成で被着部材３６を相対回転不可に固定するためである。前述のように外側ドア３２のスライドフック３４はガイドバー３１を外側から抱え込むものであり、内側ドア３３のスライドフック３４はガイドバー３１を内側から抱え込むものであるため、外側ドア３２の横杆３５ａは、左右方向と直交する奥行方向を外側から内側に向けて延び、内側ドア３３の横杆３５ａは、奥行き方向を内側から外側に向けて延びる。
【００３１】
被着部材３６は、縦杆３５との間にガイドバー３１を入れる懐部３６ａを隔てて縦杆３５と並ぶ抜け止め片３６ｂを有する。この抜け止め片３６ｂと並ぶ縦杆被着部３６ｃの長さは適宜設定されるが、この例では、縦杆被着部３６ｃの方を抜け止め片３６ｂよりも長く設定して、固定状態の安定と固定に際しての向きの判別容易性を確保している。
【００３２】
外側ドア３２と内側ドア３３におけるスライドフック３４の形成位置は、図７に示したように、それぞれの上下両縁のうちの左右方向の端部である。スライドフック３４の左右方向における形成位置を、上下それぞれ左右方向の両端の２箇所のみとするのは、外側ドア３２と内側ドア３３のスライド範囲を確保するためである。
【００３３】
また、外側ドア３２と内側ドア３３のスライドフック３４のうち左右方向の内方に位置するスライドフック３４は、ガイドバー３１上において、対向する相手方のドア（内側ドア３３または外側ドア３２と）における左右に並ぶスライドフック３４同士の間に位置させる。換言すれば、外側ドア３２の内側ドア３３寄りのスライドフック３４と、内側ドア３３の外側ドア３２寄りのスライドフック３４を、それぞれ相手方ドアの領域に入り込ませて、それらのスライドフック３４をガイドバー３１上で絡ませた、あるいは交差させた状態に配置する。
【００３４】
このようにスライドフック３４をガイドバー３１上に配置すると、他の条件を無視するとすれば、外側ドア３２の内側ドア３３寄りのスライドフック３４と、内側ドア３３の外側ドア３２寄りのスライドフック３４はそれぞれ、相手方ドアの左右方向の両端のスライドフック３４間を限度として相対移動し得る構成となる。
【００３５】
図１１に、スライドフック３４を構成するための被着部材３６の分解斜視図を示す。この図に示すように、被着部材３６は互いに組み合わされる雄側部材３７と雌側部材３８の２個の部材からなる。
【００３６】
前述したように被着部材３６は、図１０に示したごとく縦杆３５と横杆３５ａに被着されて、ガイドバー３１を入れる懐部３６ａと、縦杆３５と並ぶ抜け止め片３６ｂを形成するものであり、いわばＬ字形をなす縦杆３５と横杆３５ａをＵ字形にする機能を有している。
【００３７】
雄側部材３７と雌側部材３８は、被着部材３６を縦杆３５と横杆３５ａの長手方向で割った半割り形状であり、組み合わされたときに縦杆被着部３６ｃとなる部分３７ａ，３８ａと、抜け止め片３６ｂとなる部分３７ｂ，３８ｂの外側に、それぞれ係止部３９と被係止部４０を縦に並べて備えている。また、縦杆被着部３６ｃとなる部分３７ａ，３８ａと抜け止め片３６ｂとなる部分３７ｂ，３８ｂを連結する連結部分３７ｃ，３８ｃの外側に、雄側部材３７では嵌合突起３７ｄを、雌側部材３８では嵌合穴３８ｄを備えている。
【００３８】
このような構成の被着部材３６は、図１０に示したように上下左右いずれの向きにしても使用できるものであり、外側ドア３２と内側ドア３３のいずれにも、上下いずれの位置にも使用できる。このため、それぞれ１種類の雄側部材３７と雌側部材３８からなる被着部材３６のみで、必要なスライドフック３４をすべて構成できる。
【００３９】
外側ドア３２と内側ドア３３を開口部２１に対して組み付ける際には、縦杆３５と横杆３５ａに被着部材３６を固定する。つまり、外側ドア３２と内側ドア３３の横杆３５ａをガイドバー３１の上方あるいは下方に位置させてから、図１２に示したように雄側部材３７と雌側部材３８を、縦杆３５と横杆３５ａに被せて互いに嵌め合わせる。被着部材３６は縦杆３５と横杆３５ａに被せた状態で固定されるので、単に嵌め合わせて固定するだけで、被着部材３６は縦杆３５の長手方向と周方向において位置決めがなされることになる。
【００４０】
ペット用開口部開閉構造の構成要素のひとつとして、外側ドア３２と内側ドア３３にはそれぞれ、閉鎖状態を保持するためのロック具５１が備えられる。ロック具５１は、図７に示したように、外側ドア３２と内側ドア３３の開放先端側、つまり外側ドア３２にあっては正面フェンス１２の右縁部２５側、内側ドア３３にあっては正面フェンス１２の左縁部２４側の上下方向の中間位置に固定されており、右縁部２５または左縁部２４に形成された被係止部２５ａ，２４ａに対して係脱する。被係止部２５ａ，２４ａは線材を正面視コ字形に曲げて形成されている。
【００４１】
図１３に外側ドア３２に備えられるロック具５１の斜視図を示す。図１３の（ａ）は係止直前を示し、（ｂ）は係止状態を示している。内側ドア３３に備えられるロック具５１も外側ドア３２のロック具５１と同一構造である。この図に示すように、ロック具５１は外側ドア３２や内側ドア３３を構成する縦に延びる２本の線材に固定されている。
【００４２】
ロック具５１は、図１４に示したように、前述の２本の線材を前後に挟んで固定する固定部５２と、固定部５２の外面側に枢着された係止部５３を有する。係止部５３は、開放先端側の先端に係止爪５３ａを有しており、この係止爪５３ａを固定部５２に向けて付勢するばね５４を枢着部５５に備えて構成されている。
【００４３】
固定部５２の長手方向における係止爪５３ａと反対側の端部には、固定部５２の肉厚方向の中間部を延ばす延長部５６が形成され、延長部５６の基部に、外面側、つまり係止部５３側に突出する外側段差部５７と、内面側、つまり係止部５３と反対側に突出する内側段差部５８が形成されている。また延長部５６の先には正面視円弧状の切欠き５６ａを有している。
【００４４】
外側段差部５７と内側段差部５８、または延長部５６は、外側ドア３２と内側ドア３３をスライドさせて最大限に開いたときに正面フェンス１２のセンター縦杆２７に当接する部分である。つまり、外側段差部５７と内側段差部５８、または延長部５６は、外側ドア３２と内側ドア３３をスライドのスライド範囲に制限を加えて不都合を回避する。
【００４５】
回避すべき不都合としては、内側ドア３３のロック具５１の損傷がある。つまり、内側ドア３３のロック具５１においては、図１５に示したように、係止部５３が位置する外面側に外側ドア３２が存在するので、外側ドア３２の左右方向における内側ドア３３寄りの端の縦杆３２ａが係止部５３と干渉することがある。この場合には、縦杆３２ａと係止部５３が衝突して係止部５３部分が破損してしまうおそれが生じ得る。このため、外側段差部５７または延長部５６は、センター縦杆２７に当接した時点でロック具５１の損傷に至るような衝突が生じない態様（位置・大きさ）で形成される。
【００４６】
ペット用開口部開閉構造に関連した構成要素のひとつとして、図１に示したように、開口部２１の下方には、前述のように底トレー１６を出し入れする下端開口２２が形成されている。底トレー１６は、前述のように内部空間の略全面を覆う大きさであり、下端開口２２は開口部２１と同様に正面フェンス１２の幅に略対応する幅広に形成されている。
【００４７】
そして底トレー１６は、正面フェンス１２等の周囲の部材に対して固定されずに設置面１７に置いただけの状態で使用される。このため、底トレー１６と周囲の部材との間で位置関係を規定可能にすべく、正面フェンス１２と側面フェンス１３の下端部同士を連結する連結部材６１（前述したフェンスに対して着脱可能な部材のうちのひとつ）に、左右方向の内方に張り出して内部空間の底に置かれた底トレー１６における正面フェンス１２側の部位と干渉する張り出し部６２を形成している。
【００４８】
図１６に、図１における正面フェンス１２と側面フェンス１３の正面視左下角部の該当部分の要部を拡大して示す。この図に示すように、連結部材６１の下端に適宜厚の板状をなす底板部６３が形成され、この底板部６３に、底トレー１６の底の前方にせり出して、底トレー１６を設置面１７に面接触させた状態のままでは引き出せないようにする前述の張り出し部６２が形成されている。
【００４９】
張り出し部６２は水平方向に延びる板状である。張り出し部６２の張り出し方向の長さは、下端開口２２の幅と底トレー１６の幅を考慮して、前述したように底トレー１６を設置面１７に面接触させた状態のままでは引き出せないように設定される。
【００５０】
図１７は左右一対の連結部材６１のうちの正面視左側に使用される連結部材６１の斜視図であり、底板部６３には張り出し部６２のほかに、底トレー１６の底の角部分に嵌合対応する形状の切欠き部６４も形成されている。切欠き部６４は張り出し部６２に並んで形成されており、底トレー１６の底の形状に合わせた平面視円弧状である。切欠き部６４は、設置面１７に置かれた底トレー１６の位置を規制し、使用時において正面フェンス１２等との位置関係を保持する。
【００５１】
ペット用開口部開閉構造に関連した構成要素のひとつとして、正面フェンス１２に対向する背面フェンス１４には、図４に示したように、背面の全体を塞ぐ背面パネル７１を備えている。
【００５２】
背面フェンス１４は、図１８に示したように線材からなる長方形枠状の外枠部７２と、外枠部７２の内方に縦横に掛け渡される線材からなる橋渡し部７３を有する。外枠部７２と橋渡し部７３の間隔は、背面パネル７１を備えるので、前述のようにペットが出入りできない隙間を形成するものとする必要はなく、必要な剛性を得られるように適宜備えられる。
【００５３】
また、外枠部７２における外周部の少なくとも一部、例えば上縁部と下縁部には、板材からなる支持板部７４が形成されている。支持板部７４は、背面パネル７１を固定する部分であり、複数の貫通穴７４ａを適宜位置に有している。
【００５４】
背面パネル７１は、例えば合成樹脂や木、紙などからなる隙間のない板状に形成されている。背面パネル７１の大きさは、背面フェンス１４の外枠部７２の内側に嵌る大きさであり、フェンスを組むためのフェンスに対し着脱可能な部材と干渉する部位には、干渉を防止するための適宜形状の切欠き７５が形成されている。
【００５５】
また、背面パネル７１における前述の支持板部７４の貫通穴７４ａに対応する部位には、固定のための貫通穴７６が形成される。背面パネル７１と支持板部７４の固定には、例えばリベットやねじなどの適宜の固定手段７７（図４参照）が用いられる。背面パネル７１は、設置する場所の壁面の色柄に対応する外観を有するものとしてもよい。
【００５６】
以上のように構成されたペット用開口部開閉構造およびペット用ケージ１１は、次のように使用される。
【００５７】
開口部２１の開閉は、開けたい側に位置するドア、つまり外側ドア３２又は内側ドア３３を左右方向にスライドさせて行う。外側ドア３２と内側ドア３３は同一のガイドバー３１上をそれぞれガイドバー３１の長手方向に沿って移動可能であり、それぞれの左右方向内方のスライドフック３４を相手方ドアの範囲内に存在させているので、外側ドア３２と内側ドア３３の一方はもちろんのこと、両方同時にスライドさせることもできる。つまり、開口部２１の左右いずれか一方のみの開放はもちろんのこと、左右両方を同時に開放することもできる。
【００５８】
このため、ペットの出し入れがペットの性格やしつけ状態などの様々な状況に応じて臨機応変に行え、至便である。
【００５９】
しかも、外側ドア３２と内側ドア３３は左右方向にスライドして開け閉めされるものであるので、開口部２１の手前側に開き戸の場合のような開閉のためのスペースは不要であるので、狭い空間でもペットの出し入れが行え、この点でも利便性が高い。
【００６０】
また、外側ドア３２と内側ドア３３をスライド可能に保持するためのスライドフック３４は、外側ドア３２と内側ドア３３における線材の縦杆３５と横杆３５ａでＬ字形をなす部分に被着部材３６を固定することでＵ字状にする構成であるので、簡素な構成でありながらも、スライドフック３４として有効な構成が得られる。つまり、スライドフック３４は、外側ドア３２及び内側ドア３３を構成して上下方向に延びる縦杆３５と、縦杆３５と一体の横杆３５ａに被着部材３６を被着させて、ガイドバー３１が入る懐部３６ａと、ガイドバー３１からの抜け止めを行う抜け止め片３６ｂを形成する構成であるので、不測に外れることがなく安定したスライドが可能なスライドフック３４が得られる。特に、縦杆３５に加えて横杆３５ａを備えたので、被着部材３６の被着は、被着部材３６を構成する雄側部材３７と雌側部材３８を組み合わせるだけの簡単な構成と作業のみで、一体性に優れたスライドフック３４が得られる。この点でも利便性が高い。
【００６１】
このように使用しやすい開口部開閉構造の下方に備えられる下端開口２２は、開口部２１と同様に幅広に形成されており、置いただけで使用される底トレー１６を出し入れ可能にするが、正面フェンス１２と側面フェンス１３の下端部同士を連結する連結部材６１に、左右方向の内方に張り出して底トレー１６の正面フェンス１２側の部位と干渉する張り出し部６２が形成されているので、底トレー１６を内部空間に収めた状態を維持できる。
【００６２】
このため、例えば正面フェンス１２などの底トレー１６以外の部分が不測に移動しようとしたり、逆にペットが暴れて底トレー１６のみが不測に移動しようとしたりした場合でも、正面フェンス１２などと底トレー１６との設置状態の一体性を維持できる。この結果、正面フェンス１２などと底トレー１６の位置ずれによって底トレー１６が機能不全に陥ったりするような不都合が生じることを回避できる。この点からもペット用ケージ１１は扱いやすく、使用しやすく、利便性が高い。
【００６３】
また、張り出し部６２は水平方向に延びる板状であるので、底トレー１６は少し傾けたり持ち上げたりするだけで出し入れができ、引っ掛かりもないので、出し入れしやすい。
【００６４】
そのうえ、開口部開閉構造が左右いずれか一方でも、また両方でも開閉可能であるため、設置時において底トレー１６の上に載置したりする部材、例えばシーツやトイレなどの扱いが容易であり、配置の変更なども容易であり、これらの点からも利便性が高い。
【００６５】
また、開口部開閉構造を備えた正面フェンス１２の対向側の背面フェンス１４は、背面の全体を塞ぐ背面パネル７１を備えており、背面フェンス１４を室内の壁面に沿わせて設置した場合でも、室内の壁面を汚してしまうことを防止できる。このため、室内の壁面を清掃したりする作業を省略できて、結果として使用しやすいペット用ケージ１１とすることができて、利便性を高めることができる。
【００６６】
しかも、開口部開閉構造が左右いずれか一方でも、また両方でも開閉可能であるため、背面パネル７１が汚れた場合には、開口部２１を通して容易に清掃ができる。この点からも、扱いやすく、高い利便性が得られる。
【００６７】
以上の構成はこの発明を実施するための一形態であって、この発明は前述の構成のみに限定されるものではなく、その他の構成を採用することもできる。
【００６８】
例えば、外側ドア３２と内側ドア３３には、閉鎖状態においてセンター縦杆２７に対応する部分でオーバーラップする部分が形成されるように、開口部２１の半分の幅よりも幅広に形成した例を示したが、オーバーラップする部分を有しない構造にしてもよい。この場合には、外側ドア３２と内側ドア３３の左右方向の内方の端に位置する線材に曲げ部分を形成するとよい。
【００６９】
また、外側ドア３２と内側ドア３３を有する開口部開閉構造をひとつのユニットとして、このユニットを正面フェンス１２などの開口部を有する部材に複数備えてもよい。
【００７０】
連結部材６１に形成する張り出し部６２は、水平方向に延びる板状ではなく、上方に起立する部分や隆起する部分を有する形状であってもよい。
【００７１】
背面フェンス１４に備える背面パネル７１は着脱可能であってもよい。
【符号の説明】
【００７２】
１１…ペット用ケージ
１２…正面フェンス
１３…側面フェンス
１４…背面フェンス
１６…底トレー
２１…開口部
２２…下端開口
３１…ガイドバー
３２…外側ドア
３３…内側ドア
３４…スライドフック
３５…縦杆
３５ａ…横杆
３６…被着部材
３６ａ…懐部
３６ｂ…抜け止め片
６１…連結部材
６２…張り出し部
７１…背面パネル
【図１】
2019129738.tif 000003
【図２】
2019129738.tif 000004
【図３】
2019129738.tif 000005
【図４】
2019129738.tif 000006
【図５】
2019129738.tif 000007
【図６】
2019129738.tif 000008
【図７】
2019129738.tif 000009
【図８】
2019129738.tif 000010
【図９】
2019129738.tif 000011
【図１０】
2019129738.tif 000012
【図１１】
2019129738.tif 000013
【図１２】
2019129738.tif 000014
【図１３】
2019129738.tif 000015
【図１４】
2019129738.tif 000016
【図１５】
2019129738.tif 000017
【図１６】
2019129738.tif 000018
【図１７】
2019129738.tif 000019
【図１８】
2019129738.tif 000020